(57)【要約】      （修正有）【課題】のぼり旗の縁部におけるチチ取り付け部分の見た目が綺麗なものとなり、のぼり旗全体の外観を損なわないようにすることができ、且つチチ取り付けの作業性を向上する。【解決手段】のぼり旗Ｐの縁部に取り付け、旗竿Ｑに対してのぼり旗Ｐを連結するためのループ形成材１によるのぼり旗Ｐのチチであって、ループ形成材１は、旗竿Ｑの挿入用支持環部２と、融着ラインＬを介して延設した１枚の貼着片による旗取付部３とを備え、旗取付部３はのぼり旗Ｐの縁部の片面に貼り付けるものとする。【選択図】図１
0003134208.tif 000002
【実用新案登録請求の範囲】
【請求項１】
のぼり旗の縁部に取り付けられ、旗竿に対して当該のぼり旗を連結するためのループ形成材によるのぼり旗のチチであって、該ループ形成材は、旗竿の挿入用支持環部と、融着ラインを介して延設された１枚の貼着片による旗取付部とを備え、該旗取付部はのぼり旗の縁部の片面に貼り付けられるものとしたことを特徴とするのぼり旗のチチ。
【請求項２】
ループ形成材は、両端に接着剤が形成された複数のフィルムが台紙に貼着されてなり、のぼり旗の縁部に取り付けるときに当該フィルムを台紙から剥がし、両端の接着剤を互いに摺らして貼着することで融着ラインを介してループ状に形成し、片側１枚を貼着片とした請求項１記載ののぼり旗のチチ。
【請求項３】
ループ形成材の旗取付部は、片面に添設されたノリ面に剥離シートを貼着してなる請求項１または２記載ののぼり旗のチチ。
【請求項４】
ループ形成材の少なくとも旗取付部は、加熱圧着によって融着可能な透視性を有するホットメルトフィルムによって形成してなる請求項１乃至３のいずれか記載ののぼり旗のチチ。
【請求項５】
ループ形成材の少なくとも旗取付部は、加熱圧着によって融着し透視性を現出可能としたラミネートによるホットメルトフィルムによって形成してなる請求項１乃至３のいずれか記載ののぼり旗のチチ。
【請求項６】
ループ形成材の旗取付部は、通常の合成樹脂によるフィルムシート素材の片面に、接着剤層を介して剥離シートを貼着してなる請求項１乃至３のいずれか記載ののぼり旗のチチ。
【考案の詳細な説明】
【技術分野】
【０００１】
本考案は、各種の商店、あるいは街頭での広告宣伝等ののぼり旗として使用されるもので、特に銀行や証券会社等の案内設置用の小型ののぼり旗の縁部に取り付けられ、旗竿等の支持材に対して当該のぼり旗を連結するためのループ形成材によるのぼり旗のチチに関する。
【背景技術】
【０００２】
従来、この種のループ形成材１によるのぼり旗Ｐのチチは、図６に示すように、フィルムの両端に２枚一対の旗取付部３ａ、３ｂを備え、該旗取付部３ａ、３ｂそれぞれの片面には接着剤７が塗着され、この上を剥離シート５で覆ってある。そして使用に際し、この剥離シート５を剥がしてからフィルムを略Ｕ字状に湾曲させておき、のぼり旗Ｐの側縁部および上縁部をこの旗取付部３ａ、３ｂそれぞれの接着剤７面で挟み込むようにして取り付けられる。
【特許文献１】特に無し
【考案の開示】
【考案が解決しようとする課題】
【０００３】
しかしながら、従来の技術においては、のぼり旗Ｐの側縁部および上縁部を旗取付部３ａ、３ｂそれぞれの接着剤面で挟み込む際に、当該旗取付部３ａ、３ｂ同士が互いにずれて見栄えが悪くならないようにするためには、旗取付部３ａ、３ｂ同士が正確に合致された状態で貼着しなければならず、非常に作業性の悪いものとなる。
【０００４】
そこで、本考案は、叙上のような従来存した諸事情に鑑み創案されたもので、のぼり旗の縁部におけるチチ取り付け部分の見た目が綺麗なものとなってのぼり旗全体の外観を損なわないようにすることができ且つチチ取り付けの作業性を向上することができるのぼり旗のチチを提供することを目的とする。
【課題を解決するための手段】
【０００５】
上述した課題を解決するため、本考案にあっては、のぼり旗の縁部に取り付けられ、旗竿に対して当該のぼり旗を連結するためのループ形成材によるのぼり旗のチチであって、該ループ形成材は、旗竿の挿入用支持環部と、融着ラインを介して延設された１枚の貼着片による旗取付部とを備え、該旗取付部はのぼり旗の縁部の片面に貼り付けられるものとしたことを特徴とする。
【０００６】
ループ形成材は、両端に接着剤が形成された複数のフィルムが台紙に貼着されてなり、のぼり旗の縁部に取り付けるときに当該フィルムを台紙から剥がし、両端の接着剤を互いに摺らして貼着することで融着ラインを介してループ状に形成し、片側１枚を貼着片としてなる。
【０００７】
ループ形成材の旗取付部は、片面に添設されたノリ面に剥離シートを貼着してなる。
【０００８】
ループ形成材の少なくとも旗取付部は、加熱圧着によって融着可能な透視性を有するホットメルトフィルムによって形成してなる。
【０００９】
ループ形成材の少なくとも旗取付部は、加熱圧着によって融着し透視性を現出可能としたラミネートによるホットメルトフィルムによって形成してなる。
【００１０】
ループ形成材の旗取付部は、通常の合成樹脂によるフィルムシート素材の片面に、接着剤層を介して剥離シートを貼着してなる。
【考案の効果】
【００１１】
本考案によれば、のぼり旗の縁部におけるチチ取り付け部分の見た目が綺麗なものとなってのぼり旗全体の外観を損なわないようにすることができ且つチチ取り付けの作業性を向上することができる。
【考案を実施するための最良の形態】
【００１２】
以下、図面を参照して本考案を実施するための最良の一形態を説明する。
本考案に係るのぼり旗のチチは、図１に示すように、のぼり旗Ｐの側縁部および上縁部における複数箇所に取り付けられることで旗竿Ｑに対して当該のぼり旗Ｐを連結可能としたループ形成材１によって構成されており、該ループ形成材１は、旗竿Ｑの挿入用支持環部２と、融着ラインＬを介して延設された１枚の貼着片による旗取付部３とを備え、該旗取付部３はのぼり旗Ｐの縁部の片面に貼り付けられる。
【００１３】
すなわち、ループ形成材１は、図２に示すように、帯状の透明フィルムを長手方向に沿って一端側からＵ字状に丸め込み、透明フィルムの他端よりも手前位置で融着させて融着ラインＬとすることでループ状の挿入用支持環部２から融着ラインＬを介して１枚の貼着片による旗取付部３が一体形成される。そして、旗取付部３の片面に透明な接着剤４を塗布してのぼり旗Ｐの縁部片面に貼着する。
【００１４】
このとき、旗取付部３片面に塗布されている透明な接着剤４の上を剥離シート５で覆うようにしておき、のぼり旗Ｐの縁部片面に取り付ける際に剥離シート５を剥がして貼着するようにしても良い。
【００１５】
また、このループ形成材１全体、あるいは少なくとも旗取付部３は、加熱圧着によって融着可能な透視性を有するホットメルトフィルムによって形成しても良い。
【００１６】
このホットメルトフィルムとは、水や溶剤を全く含まない室温で固体である１００％不揮発性の熱可塑性材料からなる接着性樹脂と定義されている。すなわち、素材がフィルム状の接着剤であって、熱によって溶ける（ホットメルト）性質で特に液状の接着剤を塗ることができない素材の加工等に使われる。
【００１７】
ホットメルトフィルムは、一般には溶剤法・熱溶融法・押出法等によって製造され、通常は押出塗布加工機とコーターとの２つの部分よりなる押出成形機によって製造される。すなわち、ホットメルト組成物を溶融ブレンドし、ペレット化した後に押出機ホッパーへ投入し、再押出してフィルム化する方法と、溶融ブレンドと押出機とを組み合わせてペレット化工程を省略した直接フィルム化する方法とがある。また、ホットメルトのフィルム化は、溶融したホットメルトをダイスから流出させてフィルム状に加工する冷却ロール法による成形方法が一般的である。この他、被着体に直接ラミネートしてフィルムを形成したり、あるいは離型紙上に塗布した後に被着体へ転写、あるいはロール状フィルムをほどいて被着体に加熱または加圧方法により転写したりする方法もある。
【００１８】
また、ホットメルトフィルム接着剤としては、例えばエチレン−酢酸ビニルコポリマー、ポリエチレン−アタクチックポリプロピレン、エチレン−アクリル酸エチルコポリマー、ポリアミド、ポリエステルなどの樹脂からなるものが知られている。通常、このホットメルトフィルム接着剤は、該フィルムと被着体を加熱等により溶融して接着または付着して種々の目的商品を得るのに用いられている。
【００１９】
また、このループ形成材１全体、あるいは少なくとも旗取付部３は、加熱圧着によって融着し透視性を現出可能としたラミネートによるホットメルトフィルムによって形成しても良い。
【００２０】
このラミネートによるホットメルトフィルムは、透視性フィルムと不透視性フィルムとを合体して成形され、通常時は不透視性であるが、片面を加熱することで不透視性フィルムが溶融して透視性フィルムが露出するように構成されている。このように加工してなる透視性フィルムによってチチのループ形成材１全体あるいは旗取付部３を作ることができる。
【００２１】
次に、本構成によるチチの取付方法について説明する。
図２に示すように、ループ形成材１の旗取付部３から剥離シート５を剥がし、旗取付部３の片面に透明な接着剤４を塗布してのぼり旗Ｐの縁部片面の複数の所定箇所に貼着した後、ループ形成材１の挿入用支持環部２に旗竿Ｑを挿入する。
【００２２】
また、透視性を有するホットメルトフィルムもしくはラミネートによるホットメルトフィルムによって形成してなるループ形成材１の場合は、図３（ａ）に示すように、旗取付部３をのぼり旗Ｐの縁部片面にあてがってから、その上から図３（ｂ）に示すように、旗取付部３を例えばアイロンＲ等で加熱圧着することで、旗取付部３はのぼり旗Ｐの縁部に強固に融着一体化されると同時に、旗取付部３を含むループ形成材１全体が透視可能な状態となる。
【００２３】
また、図４に示すように、ループ形成材１をホットメルトフィルムでない通常の合成樹脂、例えば透視性を備えたポリエチレンフィルムやポリプロピレンフィルム等によるフィルムシート素材で形成しておき、この側端から延設された一枚の旗取付部３の片面に、接着剤４を介して剥離シート５を貼着してなる構成としても良い。
【００２４】
また、図５にはループ形成材１の他の例が示されている。
すなわち、ループ形成材１は、例えばハーフカット成形により、両端に透明な接着剤７が形成された帯状の透明フィルムが複数枚、一定の間隔を置いて台紙６に並列貼着された状態となって形成されている。このとき、透明フィルム両端の接着剤７の間は非貼着面となっていることは勿論である。
【００２５】
のぼり旗Ｐの縁部に取り付けるときには、図５に示すように、透明フィルムによるループ形成材１を台紙６から剥がし、これをＵ字状に湾曲させて両端の接着剤７面を互いに摺らして接合することで、ループ状の挿入用支持環部２から融着ラインＬを介して１枚の貼着片による旗取付部３が延設されたチチが形成される。この旗取付部３の片面に露出された透明な接着剤７を介してのぼり旗Ｐの縁部片面に貼着する。
【図面の簡単な説明】
【００２６】
【図１】本考案を実施するための最良の形態におけるのぼり旗へのループ形成材によるチチの使用状態を示す一部切欠正面図である。
【図２】同じくループ形成材の具体的な構成の一例を示す斜視図である。
【図３】同じくループ形成材によるチチの取付方法を示し、（ａ）はループ形成材の旗取付部をのぼり旗の縁部片面に当接させた状態の一部切欠斜視図、（ｂ）はその上から旗取付部を加熱圧着する状態の一部切欠斜視図である。
【図４】ループ形成材の他の例を示す斜視図である。
【図５】台紙に貼着されたループ形成材の一例を示す斜視図である。
【図６】従来におけるのぼり旗へのループ形成材によるチチの使用状態を示す一部切欠斜視図である。
【符号の説明】
【００２７】
Ｐ              のぼり旗
Ｑ              旗竿
Ｒ              アイロン
Ｌ              融着ライン
１              ループ形成材
２              挿入用支持環部
３、３ａ、３ｂ  旗取付部
４              接着剤
５              剥離シート
６              台紙
７              接着剤
【図１】
0003134208.tif 000003
【図２】
0003134208.tif 000004
【図３】
0003134208.tif 000005
【図４】
0003134208.tif 000006
【図５】
0003134208.tif 000007
【図６】
0003134208.tif 000008